(57)【要約】【課題】  簡易な構成により時刻合わせが可能なデータロガーを提供する。【解決手段】  データ制御部２０は、入力部１２により時刻設定操作を行うことにより、外部メモリ３０を検索して時刻設定ファイルを抽出し、該時刻設定ファイルに基づき時刻発生部１８が出力する時刻データを補正し、測定データの入力に基づき、時刻発生部１８から時刻データを取得して測定データとの対応付けを行い、時刻データ及び測定データを外部メモリ３０に記録するデータロガー。【選択図】  図１
2010066010.tif 000002
【特許請求の範囲】
【請求項１】
入力操作を行うための入力部と、
発振器からのクロック信号をカウントして時刻データを出力する時刻発生部と、
外部メモリを装着可能な装着部と、
前記外部メモリに対するデータの書き込み及び読み出しを行うデータ制御部とを備え、
外部から入力された測定データを前記外部メモリに記録するデータロガーであって、    
前記データ制御部は、
前記入力部により時刻設定操作を行うことにより、前記外部メモリを検索して時刻設定ファイルを抽出し、該時刻設定ファイルに基づき前記時刻発生部が出力する前記時刻データを補正し、
前記測定データの入力に基づき、前記時刻発生部から前記時刻データを取得して前記測定データとの対応付けを行い、前記時刻データ及び測定データを前記外部メモリに記録するデータロガー。
【請求項２】
対象物を測定して測定データを出力する測定部と、  
入力操作を行うための入力部と、
発振器からのクロック信号をカウントして時刻データを出力する時刻発生部と、
外部メモリを装着可能な装着部と、
前記外部メモリに対するデータの書き込み及び読み出しを行うデータ制御部とを備え、
前記データ制御部は、
前記入力部により時刻設定操作を行うことにより、前記外部メモリを検索して時刻設定ファイルを抽出し、該時刻設定ファイルに基づき前記時刻発生部が出力する前記時刻データを補正し、
前記入力部の測定操作による前記測定部からの測定データの入力に基づき、前記時刻発生部から前記時刻データを取得して前記測定データとの対応付けを行い、前記時刻データ及び測定データを前記外部メモリに記録する測定器。
【請求項３】
前記入力部は、前記測定操作及び時刻設定操作を同一の入力スイッチで行うように構成されている請求項２に記載の測定器。  
【発明の詳細な説明】
【技術分野】
【０００１】
本発明は、データロガー及び測定器に関する。
【背景技術】
【０００２】
従来の測定器として、対象物の各種物理量を測定して得られた測定データを、測定時刻と共にメモリに記録することができるデータロガー機能を有するものが知られている。このような測定器において、測定時刻の出力は一般には内属されたクロック回路により行われるが、実際の時刻との誤差が生じやすいことから、時刻の補正が必要となる。そこで、特許文献１には、ＧＰＳ衛星からの時刻信号を受信してクロック信号に基づく時刻を補正し、現在の時刻信号として出力することが開示されている。
【特許文献１】特開平１１−２８１７７９号公報
【発明の開示】
【発明が解決しようとする課題】
【０００３】
ところが、特許文献１の構成は、時刻信号の電波を受信するためのＧＰＳ受信機が必要になるだけでなく、受信のための電力消費が避けられないため、時刻補正を簡易に行える測定器が求められていた。
【０００４】
そこで、本発明は、簡易な構成により時刻合わせが可能なデータロガー及び測定器の提供を目的とする。
【課題を解決するための手段】
【０００５】
本発明の前記目的は、入力操作を行うための入力部と、発振器からのクロック信号をカウントして時刻データを出力する時刻発生部と、外部メモリを装着可能な装着部と、前記外部メモリに対するデータの書き込み及び読み出しを行うデータ制御部とを備え、外部から入力された測定データを前記外部メモリに記録するデータロガーであって、前記データ制御部は、前記入力部により時刻設定操作を行うことにより、前記外部メモリを検索して時刻設定ファイルを抽出し、該時刻設定ファイルに基づき前記時刻発生部が出力する前記時刻データを補正し、前記測定データの入力に基づき、前記時刻発生部から前記時刻データを取得して前記測定データとの対応付けを行い、前記時刻データ及び測定データを前記外部メモリに記録するデータロガーにより達成される。
【０００６】
また、本発明の前記目的は、対象物を測定して測定データを出力する測定部と、入力操作を行うための入力部と、発振器からのクロック信号をカウントして時刻データを出力する時刻発生部と、外部メモリを装着可能な装着部と、前記外部メモリに対するデータの書き込み及び読み出しを行うデータ制御部とを備え、前記データ制御部は、前記入力部により時刻設定操作を行うことにより、前記外部メモリを検索して時刻設定ファイルを抽出し、該時刻設定ファイルに基づき前記時刻発生部が出力する前記時刻データを補正し、前記入力部の測定操作による前記測定部からの測定データの入力に基づき、前記時刻発生部から前記時刻データを取得して前記測定データとの対応付けを行い、前記時刻データ及び測定データを前記外部メモリに記録する測定器により達成される。
【０００７】
この測定器において、前記入力部は、前記測定操作及び時刻設定操作を同一の入力スイッチで行うように構成されていることが好ましい。
【発明の効果】
【０００８】
本発明によれば、簡易な構成により時刻合わせが可能なデータロガー及び測定器を提供することができる。
【発明を実施するための最良の形態】
【０００９】
以下、本発明の実施の形態について、添付図面を参照して説明する。図１は、本発明の一実施形態に係る測定器の概略構成を示すブロック図である。
【００１０】
図１に示すように、測定器１は、測定部１０、入力部１２、表示部１４、装着部１６、時刻発生部１８及びデータ制御部２０を備えている。
【００１１】
測定部１０は、本実施形態では対象物の質量を秤量する電子天秤であり、ロードセル方式や電磁力平衡方式により、荷重の大きさに応じた電気信号を測定データとして出力する。測定部１０は、対象物の測定データを出力するものであれば特に限定されず、例えば、温湿度計、ｐＨ計、血糖値計などのように、環境や医療など種々の分野における測定機器を使用することができる。
【００１２】
入力部１２は、単一のプッシュスイッチから構成されており、スイッチが押圧されている間、操作信号がデータ制御部２０に入力される。
【００１３】
表示部１４は、発光色がそれぞれ異なる時刻設定ＬＥＤ１４ａ、スタンバイＬＥＤ１４ｂ、アクセスＬＥＤ１４ｃの３種類のＬＥＤを備えている。表示部１４は、液晶表示パネルなどであってもよい。
【００１４】
装着部１６は、ＳＤメモリカードなどのフラッシュメモリやＨＤＤ（ハードディスクドライブ）など公知の外部メモリ３０を着脱可能なスロットからなる。
【００１５】
時刻発生部１８は、内蔵する発振器１８ａから発生するクロック信号をカウントすることにより実際の時刻を計測し、時刻データを出力する。
【００１６】
データ制御部２０は、装着部１６に外部メモリ３０が装着された状態で、外部メモリ３０へのデータの書き込みや、外部メモリ３０からのデータの読み取りを行う。
【００１７】
このように構成された測定器１によれば、まず装着部１６に外部メモリ３０を装着した後、入力部１２のプッシュスイッチを押圧すると、データ制御部２０は、スタンバイＬＥＤ１４ｂを点灯させて、測定部１０から出力される測定データの記録を開始する。測定部１０からの測定データの出力は、所定の時間間隔で行われ、データ制御部２０は、測定データ受信のタイミングに合わせてアクセスＬＥＤ１４ｃを点灯させると共に、受信した測定データを、時刻発生部１８により生成された時刻データに対応付けて、ＣＳＶなどのファイル形式で測定データファイルを生成し、外部メモリ３０に格納する。なお、測定データファイルのファイル名となるファイル番号に空きがない場合や、外部メモリ３０が装着されていない場合には、データ制御部２０は、スタンバイＬＥＤ１４ｂ及びアクセスＬＥＤ１４ｃを点滅させて、エラー表示を行う。
【００１８】
そして、入力部１２のプッシュスイッチを再び押圧すると、データ制御部２０は、測定データの記録を終了し、スタンバイＬＥＤ１４ｂを消灯する。なお、入力部１２のプッシュスイッチを更に押圧した場合には、測定データファイルが新たに作成され、測定データの記録が最初から行われる。
【００１９】
この後、外部メモリ３０を取り出し、パーソナルコンピュータ等において測定データファイルを所定のアプリケーションで開くことにより、データの閲覧や加工を行うことができる。
【００２０】
図２は、測定データをパーソナルコンピュータに表示した表示画面の一例を示しており、秤量の測定データが、測定日時を表す時刻データに対応付けられて、表形式で表示されている。測定データには、時刻データ以外に、使用者（使用者番号）、使用量、対象物名（対象物番号）などの関連データを付加することも可能であり、これらの入力を可能にするため、入力部１２は、テンキーなどを備えていてもよい。
【００２１】
ところで、時刻発生部１８が生成する時刻データは、クロック信号のカウントにより行われるため、時間の経過と共に実際の時刻とのずれが大きくなるおそれがある。このため本実施形態の測定器は、時刻データの時刻合わせを、以下のようにして行うことができる。
【００２２】
まず、外部メモリ３０には、時刻設定を行うための時刻設定ファイルをパーソナルコンピュータなどで作成して、予め格納しておく。時刻設定ファイルは、例えばテキスト形式で作成することができ、年月日時分秒を１４個の数字で表したものである。例えば、ある時点での時刻から１０分後である２００８年４月２５日１５時４０分００秒に時刻設定する場合、データ制御部２０は、「２００８０４２５１５４０００」のデータを時刻設定ファイルとして外部メモリ３０に格納する。
【００２３】
そして、この外部メモリ３０を装着部１６に装着し、腕時計やテレビ・電話の時報などを利用して、実際の時刻が時刻設定ファイルの設定時刻になると同時に入力部１２のプッシュスイッチを３秒以上長押しすると、データ制御部２０は、時刻設定ＬＥＤ１４ａを点灯させると共に、外部メモリ３０から時刻設定ファイルを読み出して、時刻発生部１８が出力する時刻データが、入力部１２の押圧開始時点で設定時刻と一致するように補正する。こうして、測定器１内に特別な装置を設けることなく、時刻合わせを行うことができる。なお、外部メモリ３０に時刻設定ファイルが存在しない場合や、時刻設定ファイルのデータが正常でない等、時刻データの補正ができない場合には、データ制御部２０は、時刻設定ＬＥＤ１４ａを点滅させてエラー表示を行う。
【００２４】
この後は、上記のように入力部１２のプッシュスイッチを押圧し、測定データの記録を開始することにより、測定データが正確な測定時刻に対応付けられた測定データファイルを得ることができる。
【００２５】
本実施形態においては、時刻設定のための時刻設定操作を入力部１２の３秒以上の長押しで行う一方、測定開始または終了のための測定操作を入力部１２の３秒未満の短押しで行うように構成しているが、データ制御部２０が両者の操作目的を判別可能である限り、他の操作であってもよい。例えば、入力部１２が所定時間内に複数回押圧された場合を時刻設定操作として、一回の押圧による測定操作と判別できるように構成してもよい。これらの構成によれば、単一の入力スイッチからなる入力部１２によって、測定操作及び時刻設定操作の双方を行うことができるので、構成を簡素化することができる。但し、入力部１２は、測定操作及び時刻設定操作をそれぞれ別のスイッチで行うように構成されていてもよい。
【００２６】
以上、本発明の一実施形態について詳述したが、本発明の具体的な態様は上記実施形態に限定されない。例えば、図３に示すデータロガー４０は、図１に示す測定器１が有する入力部１２、表示部１４、装着部１６、時刻発生部１８及びデータ制御部２０と同様の機能を有する構成要素を備えており、外部装置である測定装置５０が有するＲＳ−２３２Ｃ端子などの出力端子にケーブルを介して着脱自在とされている。このように構成されたデータロガー４０は、図１に示す測定器と同様に、簡易な構成による時刻合わせを可能にしつつ、種々の測定器に対して使用可能な汎用性の高いものとすることができる。
【００２７】
外部の測定装置５０としては、電子天秤などの各種計測機器を挙げることができ、何らかの測定データを出力可能なものであれば特に限定されない。更に、データロガー４０への測定データの入力は、必ずしも外部の測定装置から行う必要はなく、入力部１２を介して手動で行うように構成することも可能である。例えば、図４に示す入退室用のデータロガー４０は、入力部１２として、入退室切替スイッチ１２１及びテンキー１２２を備えており、入退室者が、入退室切替スイッチ１２１を入室または退室のいずれかに操作し、ＩＤ及びパスワードをテンキー１２２の操作により入力して、最後にエンターキーを押圧すると、図３に示すデータ制御部２０は、入力されたＩＤ及びパスワードを測定データとして、エンターキーが押圧された測定時刻と共に外部メモリ３０に格納する。このデータロガー４０によれば、外部メモリ３０に格納された時刻設定ファイルに基づき、テンキー１２２の操作により時刻合わせを行うことができ、入退室者の正確な入退室時刻を外部メモリ３０に記録することができる。
【００２８】
外部メモリ３０は、セキュリティ保護のため、専用鍵（図示せず）で装着部１６にロックできるように構成することが好ましい。また、このような入退室用のデータロガー４０は、鍵管理ボックスや薬品庫などの内容物の履歴管理に用いることもできる。
【図面の簡単な説明】
【００２９】
【図１】本発明の一実施形態に係る測定器の概略構成を示すブロック図である。
【図２】測定データを外部装置で表示した画面の一例を示す図である。
【図３】本発明の一実施形態に係るデータロガーの概略構成を示すブロック図である。
【図４】本発明の一実施形態に係るデータロガーの外観図である。
【符号の説明】
【００３０】
１  測定器
１０  測定部
１２  入力部
１４  表示部
１６  装着部
１８  時刻発生部
２０  データ制御部
３０  外部メモリ
４０  データロガー
【図１】
2010066010.tif 000003
【図３】
2010066010.tif 000004
【図２】
2010066010.tif 000005
【図４】
2010066010.tif 000006